(57)【特許請求の範囲】
【請求項１】
車両の複数の領域に配索される一体化されたワイヤハーネスに、前記車両の領域間に設けられた複数の貫通孔への貫通部位に対応してそれぞれ異なる別体の保護材が、当該保護材の固定と解除とが可能な固定手段によって装着された保護材付きワイヤハーネスであって、
各前記保護材は、貫通させる前記貫通孔との対応関係が、視覚若しくは触覚により識別可能であることを特徴とする保護材付きワイヤハーネス。
【請求項２】
各前記保護材が、互いに異なる色彩の付与によって視覚的に識別可能であることを特徴とする請求項１に記載の保護材付きワイヤハーネス。
【請求項３】
各前記保護材が、互いに異なる文字若しくは図形の付与によって視覚的に識別可能であることを特徴とする請求項１又は２に記載の保護材付きワイヤハーネス。
【請求項４】
各前記保護材が、互いに異なる外観形状によって視覚的に識別可能であることを特徴とする請求項１乃至３の何れかに記載の保護材付きワイヤハーネス。
【請求項５】
各前記保護材が、互いに異なる表面状態によって触覚的に識別可能であることを特徴とする請求項１乃至４の何れかに記載の保護材付きワイヤハーネス。
【発明の詳細な説明】
【技術分野】
【０００１】
本発明は、端部に保護材を装着した保護材付きワイヤハーネスに関する。
【背景技術】
【０００２】
特許文献１には、車両後部にバッテリを含むＨＥＶ用部品を搭載するハイブリッド自動車におけるワイヤハーネス・システムが開示されている。このワイヤハーネス・システムは、車室の前部から後部に向けてフロアパネルに沿って配されるフロアハーネスと、車両後部に搭載されるバッテリを含むＨＥＶ用部品、リアランプ、ライセンスランプを含む車両後部搭載部品と接続する電線群からなるリアハーネスとを分割し、フロアハーネスとリアハーネスとを車室と後部荷物室とを仕切るパネルの近傍で接続する構成として、フロアハーネスの大型化及び重量化を防止してワイヤハーネスの組立作業性の改善を図るものである。
【先行技術文献】
【特許文献】
【０００３】
【特許文献１】特開２０１２−８１７７４号公報
【発明の概要】
【発明が解決しようとする課題】
【０００４】
しかし、このようにフロアハーネスとリアハーネスとを分割すると、ハーネスの点数が増加して接続のために余分な工数も費やすことになる。そこで、工数削減と部品点数削減との観点から、フロアハーネスにリアハーネスを組み込んで大型のフロアハーネスを導入することが考えられる。この場合、フロアハーネスの全体形状は例えば略Ｈ型となり、エンジンルームやリア部へは、各室間を仕切るパネルに設けた貫通孔を通してフロアハーネスを配索することになる。
ところが、フロアハーネスは全体が一体化した略Ｈ型形状となるため、梱包されたフロアハーネスを取り出して車体に取り付ける際に、配索位置に対応した展開形状が分かりづらく、展開や取付作業に時間が掛かったり、作業者が誤って配索したりするおそれが生じる。
【０００５】
そこで、本発明は、配索時の展開や取付作業が効率よく行える保護材付きワイヤハーネスを提供することを目的としたものである。
【課題を解決するための手段】
【０００６】
上記目的を達成するために、請求項１に記載の発明は、車両の複数の領域に配索される一体化されたワイヤハーネスに、当該車両の領域間に設けられた複数の貫通孔への貫通部位に対応してそれぞれ異なる別体の保護材が、当該保護材の固定と解除とが可能な固定手段によって装着された保護材付きワイヤハーネスであって、各保護材は、貫通させる貫通孔との対応関係が、視覚若しくは触覚により識別可能であることを特徴とする。
請求項２に記載の発明は、請求項１の構成において、各保護材が、互いに異なる色彩の付与によって視覚的に識別可能であることを特徴とする。
請求項３に記載の発明は、請求項１又は２の構成において、各保護材が、互いに異なる文字若しくは図形の付与によって視覚的に識別可能であることを特徴とする。
請求項４に記載の発明は、請求項１乃至３の何れかの構成において、各保護材が、互いに異なる外観形状によって視覚的に識別可能であることを特徴とする。
請求項５に記載の発明は、請求項１乃至４の何れかの構成において、各保護材が、互いに異なる表面状態によって触覚的に識別可能であることを特徴とする。
【発明の効果】
【０００７】
本発明によれば、貫通させる貫通孔との対応関係が、視覚若しくは触覚により識別可能な保護材を用いることで、配索位置の確認が容易に行える。よって、配索時の展開や取付作業が効率よく行える。また、梱包や搬送の際に配索位置を考慮した形状を保つ必要がなく、ワイヤハーネスの梱包や搬送作業がスムーズに行える。
【図面の簡単な説明】
【０００８】
【図１】形態１のフロアハーネス用保護材の斜視図である。
【図２】形態１のフロアハーネスの説明図である。
【図３】形態１の保護材付きフロアハーネスの説明図である。
【図４】形態２の保護材付きフロアハーネスの説明図である。
【図５】形態３の保護材付きフロアハーネスの説明図である。
【図６】形態４の保護材付きフロアハーネスの説明図で、（Ａ）が保護材装着前、（Ｂ）が装着後をそれぞれ示す。
【図７】形態５の保護材付きフロアハーネスの説明図で、（Ａ）が保護材装着前、（Ｂ）が装着後をそれぞれ示す。
【図８】形態６の保護材付きフロアハーネスの説明図である。
【発明を実施するための形態】
【０００９】
以下、本発明の実施の形態を図面に基づいて説明する。
［形態１］
図１は、フロアハーネス用保護材（以下単に「保護材」という。）の一例を示す斜視図である。保護材１は、長方形状で布製（織物、編み物、レース、フェルト、不織布等何れも使用できる）のシート状で、一方の面の長辺寄りには、当該長辺に沿って面ファスナー２が帯状に設けられ、他方の面で面ファスナー２と反対側の長辺寄りには、当該長辺に沿って面ファスナー３が帯状に設けられている。
この保護材１は、全体がそれぞれ異なる色に着色されたものが予め複数用意される。
【００１０】
図２は、ワイヤハーネスの一例であるフロアハーネスの概略図で、フロアハーネス１０は、車両フロアの左側縁に沿って前後方向（図２の左側を前方とする。）に配索される左側ハーネス１１と、車両フロアの右側縁に沿って前後方向に配索される右側ハーネス１２と、左側ハーネス１１と右側ハーネス１２との中間部位同士を繋いで左右方向に配索される中間ハーネス１３とを有する略Ｈ型で、車両後部にバッテリを含むＨＥＶ用部品を搭載するハイブリッド自動車に使用される。１４，１４・・は枝線である。フロアハーネス１０は、全体が予め作業台上で組み立てられてテープ巻き等されると共に、各ハーネスの接続端にはコネクタ１５，１５・・が設けられる。
【００１１】
このフロアハーネス１０のうち、左側ハーネス１１及び右側ハーネス１２の各前端は、車室とエンジンルームとの領域間を仕切る前側パネルに設けられた貫通孔を貫通してエンジンルーム内に配索され、エンジン等に接続される。一方、左側ハーネス１１及び右側ハーネス１２の各後端は、車室とトランクルームとの領域間を仕切る後側パネルに設けられた貫通孔を貫通してトランクルーム内に配索され、バッテリ、モータ等のＨＥＶ用部品と接続される。
【００１２】
そして、フロアハーネス１０は、作業台上で製造後、プラスチックコンテナ等へ梱包する前に、左側ハーネス１１及び右側ハーネス１２の枝線１４やコネクタ１５を含む前後端に、それぞれ保護材１，１・・を巻き付けることで各端部の保護が図られる。このとき各保護材１は、各ハーネスの配索部位（貫通させる貫通孔）に対して予め設定された色に着色されたものが使用される。すなわち、各端部に対応した色の保護材１を、図２に示すように各ハーネス１１，１２の方向に長手方向を合わせた向きで各端部の下側に敷いた後、短手方向に巻き付けて、一方の面ファスナー２を他方の面ファスナー３に貼り付けて筒状に結合するものである。すると、図３に示すように、各ハーネス１１，１２の前後端がそれぞれ色が異なる保護材１によって枝線１４やコネクタ１５ごと覆われた保護材付きフロアハーネス１０Ａが得られる。
【００１３】
この保護材付きフロアハーネス１０Ａであれば、各ハーネス１１，１２の端部を覆う保護材１によって各ハーネス１１，１２の前後の向きや配索部位が視認できるため、梱包や搬送の際に配索位置を考慮した形状を保つ必要がなくなる。
また、梱包された保護材付きフロアハーネス１０Ａを取り出して車両に配索する際には、保護材１が目印となって前後左右がわかりやすく、配索位置に対応した形への展開が容易となるので、大型のフロアハーネス１０であっても取付が効率よく行える。さらに、各ハーネス１１，１２の端部が保護材１によって枝線１４やコネクタ１５ごと覆われているため、前側パネルや後側パネルに貫通させる作業がしやすくなる上、各ハーネス１１，１２や枝線１４、コネクタ１５がパネルと干渉して損傷したりするおそれもなくなる。
【００１４】
このように、上記形態１の保護材付きフロアハーネス１０Ａによれば、各保護材１を貫通させる貫通孔との対応関係が、互いに異なる色彩の付与によって視覚的に識別可能であるから、保護材１によって配索位置の確認が容易に行える。よって、全体が一体化した略Ｈ型形状のフロアハーネスを採用しても、配索時の展開や取付作業が効率よく行える。また、梱包前に保護材１を装着していれば、梱包や搬送の際に配索位置を考慮した形状を保つ必要がなく、フロアハーネス１０の梱包や搬送作業がスムーズに行える。
特にここでは、保護材１の固定に面ファスナー２，３を採用しているので、保護材１の着脱が容易に行える。
【００１５】
なお、保護材の着色は、全体でなく一部に行ってもよいし、前後を示す色と左右を示す色とをそれぞれ半分ずつ着色する等、二色以上で着色してもよい。着色自体も、予め着色された布を使用する他、無地のものに塗料等で後から色を付したり、着色テープ等を表面に貼着して色を付したりすることもできる。
また、保護材の材質も、布製に限らず、ハーネスの端部に巻き付け可能なシート状であって必要な強度があれば、フィルム等の合成樹脂製や紙製等であってもよい。
【００１６】
一方、保護材を固定する面ファスナーの大きさや範囲は上記形態に限らず、例えば幅方向の寸法を大きくしたり、面ファスナーの小片を長手辺に沿って断続的に配置したりする変更が可能である。また、面ファスナー以外にも、ボタンやゴムバンド等、ハーネス端部に対して簡易に保護材の固定と解除とが可能であれば固定手段は適宜選択できる。
さらに、保護材の大きさや長さは全て同じものとする必要はなく、ハーネス端部の形態に合わせて変更しても良いし、保護材の形状も、長方形以外に正方形や台形状、扇状等適宜変更して差し支えない。加えて、保護材は展開したシート状に限らず、一部が筒状に繋がったシート状として、分離した他の部分を固定手段で接合するようにしてもよい。
【００１７】
そして、保護材を貫通孔に対応させて識別する手段としては、色彩の付与以外に以下の形態も考えられる。なお、形態１と同じ構成部には同じ符号を付して重複する説明は省略する。
［形態２］
図４に示す保護材付きフロアハーネス１０Ｂは、生成若しくは同じ色の保護材１，１・・に、「ＦＲ」「ＦＬ」「ＲＲ」「ＲＬ」の文字を表したタグ２０，２０・・を付けることで、貫通孔ごとの区別を可能としたものである。
［形態３］
図５に示す保護材付きフロアハーネス１０Ｃは、タグでなく、生成若しくは同じ色の保護材１自体に、「ＦＲ」「ＦＬ」等の文字２１，２１・・を印刷することで、貫通孔ごとの区別を可能としたものである。
この保護材付きフロアハーネス１０Ｂ，１０Ｃにおいても、互いに異なる文字の付与によって視覚的に識別可能となり、配索位置の確認が容易となって配索時の展開や取付作業が効率よく行える。
なお、文字の種類は適宜変更可能であるし、文字でなく図形を付してもよい。タグの付け方は任意であるし、保護材自体には印刷でなく縫製やシール等によって文字や図形を付与することも可能である。タグの数や文字を付する場所を増やしてもよい。
【００１８】
［形態４］
図６（Ａ）に示すフロアハーネス１０では、ハーネスの端部に巻き付ける左右の保護材の形状を互いに変更して、一方の保護材を、ハーネスの長手方向に短い３枚の保護材１Ａ，１Ａ・・とし、他方の保護材を、長手方向に繋がった１枚の保護材１としている。
よって、同図（Ｂ）に示すように、各保護材１，１Ａを巻き付けた保護材付きフロアハーネス１０Ｄは、左右で外観形状が変わって視覚的に識別可能となり、配索位置の確認が容易となって配索時の展開や取付作業が効率よく行える。
［形態５］
図７（Ａ）に示すフロアハーネス１０では、一方の保護材は３枚の保護材１Ａ，１Ａ・・が使用され、他方の保護材は、一端部が開口した筒状の保護材１Ｂが使用される。この保護材１Ｂは、ハーネスの端部を挿入して開口をファスナー２２で閉じることで装着される。
よって、同図（Ｂ）に示すように、各保護材１Ａ，１Ｂを巻き付けた保護材付きフロアハーネス１０Ｅも、左右で外観形状が変わって視覚的に識別可能となり、配索位置の確認が容易となって配索時の展開や取付作業が効率よく行える。
なお、保護材は左右逆でもよいし、長手方向に短い保護材の数は適宜増減可能である。筒状の保護材の開口は、ファスナー以外にボタンやベルト、ゴム等で開閉するものとしてもよい。
【００１９】
［形態６］
図８に示す保護材付きフロアハーネス１０Ｆでは、ハーネスの端部に巻き付ける左右の保護材の材質を互いに変更して、一方の保護材１Ｃをレザーや合皮等、表面に凹凸の少ない材質で作成し、他方の保護材１Ｄを、表面に凹凸が生じるネット状のものとしている。
よって、この各保護材１Ｃ，１Ｄを巻き付けた保護材付きフロアハーネス１０Ｆは、左右で手触りが変わって触覚的に識別可能となり、配索位置の確認が容易となって配索時の展開や取付作業が効率よく行える。
なお、保護材の材質は左右逆でもよいし、他の材質のものも採用できる。同じネット状でも網目の大きさを変えることで触感を異ならせることもできる。また、同じ材質であっても、表面にゴム張り等を行うことで凹凸を付与して触感を変えることもできる。
【００２０】
そして、上記各形態は、複数組み合わせて実施することもできる。すなわち、図６，７のように形状を変えた保護材に図４，５のようにタグや印刷等によって文字等を付したり、図８のように触感を変えた保護材に図４，５のように文字等を付したり、図６，７のように形状を変えた保護材にさらに図８のように触感を変えたりすることは可能である。これらに図３のように異なる色彩をさらに付すこともできる。
その他、フロアハーネス自体の形状も、厳密なＨ型であるものに限らず、左右のハーネスの長さが異なるものや、左右のハーネスや中間ハーネスが複数配索されるもの等、配索形態が平面視で略Ｈ型となって車室の外に延ばして配索されるものであれば本発明は適用可能である。また、フロアハーネス以外のワイヤハーネスであっても、車両の領域間に貫通孔を介して配索されるものであれば、本発明は適用できる。
【符号の説明】
【００２１】
１，１Ａ〜１Ｄ・・フロアハーネス用保護材、２，３・・面ファスナー、１０・・フロアハーネス、１０Ａ〜１０Ｆ・・保護材付きフロアハーネス、１１・・左側ハーネス、１２・・右側ハーネス、１３・・中間ハーネス、１４・・枝線、１５・・コネクタ、２０・・タグ、２１・・文字、２２・・ファスナー。
【図１】
0006574347.tif 000002
【図２】
0006574347.tif 000003
【図３】
0006574347.tif 000004
【図４】
0006574347.tif 000005
【図５】
0006574347.tif 000006
【図６】
0006574347.tif 000007
【図７】
0006574347.tif 000008
【図８】
0006574347.tif 000009